(57)【要約】【課題】アイラッシュカーラーの機能性について定量的に評価することができるアイラッシュカーラーの評価方法と、睫毛にかかる荷重を定量化する方法、およびそれらの方法に用いられる冶具とアイラッシュカーラーの提供。【解決手段】挟圧体固定部と挟圧体可動部により上下から睫毛を挟み込んで荷重をかける機構を有するアイラッシュカーラーを保持するための冶具であって、基台と、該基台上に設けられ、アイラッシュカーラーを倒立させた状態で挟圧体固定部を固定するとともに、挟圧体可動部を挟圧体固定部に対し接離可能な状態でアイラッシュカーラーを保持するアイラッシュカーラー保持部と、該基台上に設けられ、挟圧体固定部および挟圧体可動部により挟み込むことが可能な位置で睫毛を保持する睫毛保持部とを備えたアイラッシュカーラー評価用冶具。【選択図】  図２
2020074845.tif 000002
【特許請求の範囲】
【請求項１】
挟圧体固定部と挟圧体可動部により上下から睫毛を挟み込んで荷重をかける機構を有するアイラッシュカーラーを保持するための冶具であって、基台と、該基台上に設けられ、アイラッシュカーラーを倒立させた状態で挟圧体固定部を固定するとともに、挟圧体可動部を挟圧体固定部に対し接離可能な状態でアイラッシュカーラーを保持するアイラッシュカーラー保持部と、該基台上に設けられ、睫毛を挟圧体固定部および挟圧体可動部により挟み込むことが可能な位置で保持する睫毛保持部とを備えたアイラッシュカーラー評価用冶具。
【請求項２】
前記アイラッシュカーラー保持部は、基台の上面から垂設された２本の支柱と、該支柱にそれぞれ取り付けられた２つの固定部材と、該固定部材それぞれ水平方向に突出する２本の支持棒と、さらに、基台の上面に設けられた一対の把持部からなり、該支持棒の少なくとも一の頂部にはアイラッシュカーラーのアーム部及びフレーム部の一側面を嵌入可能な溝部が凹設され、該把持部の少なくとも一辺部にはフレーム部の外側の側面を嵌入可能な凹部が凹設された請求項１に記載のアイラッシュカーラー評価用冶具。
【請求項３】
前記睫毛保持部は、保持部上部と保持部下部を上下に重ねた状態でネジ部により固定可能に形成され、睫毛を挟む側の端部が一対の把持部の間に位置するように基台上に配設されている請求項１または２に記載のアイラッシュカーラー評価用冶具。
【請求項４】
ハンドル部の開閉操作時に伴い変動する任意の２点間の距離の計測手段を備えたアイラッシュカーラー。
【請求項５】
前記計測手段は、アーム部に固定された目盛り部と、該目盛り部に対してその長尺方向にスライド移動可能に取り付けられたスライド部と、該スライド部の下部から反対側のアーム部方向へ突出し、その先端部が該アーム部の側面部に当接するように設けられたバーを備えた請求項４に記載のアイラッシュカーラー。
【請求項６】
請求項１ないし３のいずれかに記載のアイラッシュカーラー評価用冶具によりアイラッシュカーラーを保持し、前記睫毛保持部により睫毛を保持し、アイラッシュカーラーのアーム部と接続部材の連結部分を押圧手段により所定の荷重で押し下げ、睫毛に生じる角度を測定することでカール力を評価するアイラッシュカーラー評価方法。
【請求項７】
請求項４または５に記載のアイラッシュカーラーにより使用時のハンドルの握り込み距離を測定し、アイラッシュカーラーの使用時に睫毛にかかる荷重を定量化する方法。
【請求項８】
請求項４または５に記載のアイラッシュカーラーにより使用時のハンドルの握り込み距離を測定し、アイラッシュカーラーの使用時に睫毛にかかる荷重を定量化し、押圧手段によりアイラッシュカーラーのアーム部と接続部材の連結部分に対してかける荷重を決定することを特徴とする請求項６に記載のアイラッシュカーラー評価方法。  
【請求項９】
前記押圧手段が、昇降可能なスピンドルを備えたテクスチャーアナライザーである請求項６または８に記載のアイラッシュカーラー評価方法。    
【発明の詳細な説明】
【技術分野】
【０００１】
本発明は、アイラッシュカーラーの機能性、特にそのカール力の評価方法と、アイラッシュカーラーの使用時に睫毛にかかる荷重を定量化する方法、さらにそれらの評価方法に用いる冶具及びアイラッシュカーラーに関する。
【背景技術】
【０００２】
従来、簡単な器具による睫毛の長さや湾曲度等の測定方法や、マスカラの使用性評価方法については提案されているが（特許文献１、２）、睫毛をカールさせるために使用するアイラッシュカーラーの機能、特にそのカール力については、客観手的に評価する方法は確立されておらず、主に「睫毛のカールしやすさ」、「睫毛のセパレートしやすさ」、「使いやすさ」などの官能評価に依存していた。
【０００３】
特に、アイラッシュカーラーの構造上、ハンドル部の動きは曲線状であるため、既存の機器による定量的な測定は困難であった。
【０００４】
そこで、アイラッシュカーラーの機能性について、簡易な器具により睫毛にかかる荷重を定量的に測定し、カール力等を客観的に評価する方法が望まれていた。  
【先行技術文献】
【特許文献】
【０００５】
【特許文献１】特開２００９−４５２３０
【特許文献２】特開２００２−１９９９３２
【発明の概要】
【発明が解決しようとする課題】
【０００６】
そこで本発明は、アイラッシュカーラーの機能性について定量的に評価することができるアイラッシュカーラーの評価方法とその方法に用いられる冶具とアイラッシュカーラーの提供をその課題とするものである。
【課題を解決するための手段】
【０００７】
本発明は、上記課題を解決するものであり、挟圧体固定部と挟圧体可動部により上下から睫毛を挟み込んで荷重をかける機構を有するアイラッシュカーラーを保持するための冶具であって、基台と、該基台上に設けられ、アイラッシュカーラーを倒立させた状態で挟圧体固定部を固定するとともに、挟圧体可動部を挟圧体固定部に対し接離可能な状態でアイラッシュカーラーを保持するアイラッシュカーラー保持部と、該基台上に設けられ、睫毛を挟圧体固定部および挟圧体可動部により挟み込むことが可能な位置で保持する睫毛保持部とを備えたアイラッシュカーラー評価用冶具である。
【０００８】
また本発明は、ハンドル部の開閉操作に伴い変動する任意の２点間の距離の計測手段を備えたアイラッシュカーラーである。
【０００９】
また本発明は、前記アイラッシュカーラー評価用冶具によりアイラッシュカーラーを保持し、前記睫毛保持部により睫毛を保持し、アイラッシュカーラーのアーム部と接続部材の連結部分を押圧手段により所定の荷重で押し下げ、睫毛に生じる角度を測定することでカール力を評価するアイラッシュカーラー評価方法である。
【００１０】
また本発明は、前記アイラッシュカーラーにより使用時のハンドルの握り込み距離を測定し、アイラッシュカーラーの使用時に睫毛にかかる荷重を定量化する方法である。  
【００１１】
さらに本発明は、前記アイラッシュカーラーにより使用時のハンドルの握り込み距離を測定し、アイラッシュカーラーの使用時に睫毛にかかる荷重を定量化し、押圧手段によりアイラッシュカーラーのアーム部と接続部材の連結部分に対してかける荷重を決定することを特徴とするアイラッシュカーラー評価方法である。
【発明の効果】
【００１２】
本発明にかかるアイラッシュカーラー評価用冶具は、アイラッシュカーラーを開閉操作可能な状態で保持することができ、押圧手段によりアイラッシュカーラーのアーム部と接続部材の連結部分を押し下げることにより睫毛をカールさせる際と同様の荷重をかけることができるため、機械的に使用時の荷重を再現することができる。
【００１３】
また、本発明にかかる計測手段を備えたアイラッシュカーラーは、ハンドル部の開閉操作に伴い変動する任意の２点間の距離を計測することができるため、使用時のハンドル部の握り込みの距離を測定することができる。
【００１４】
また、本発明にかかるアイラッシュカーラー評価方法は、睫毛にかかる荷重を定量的に測定し、カール力等を客観的に評価することができる。
【図面の簡単な説明】
【００１５】
【図１】本発明の評価方法の対象となるアイラッシュカーラーの斜視図。
【図２】本発明の冶具にアイラッシュカーラーをセットした状態の斜視図。
【図３】本発明の冶具の正面図。
【図４】本発明の冶具の側面図。
【図５】本発明の冶具の平面図。
【図６】（ａ）本発明の冶具にアイラッシュカーラーをセットし、押圧手段のスピンドルを降下させる前の状態の図。（ｂ）発明の冶具にアイラッシュカーラーをセットし、押圧手段のスピンドルを降下させた状態の図。
【図７】計測手段を備えた本発明のアイラッシュカーラーの側面図。
【図８】本発明の評価方法によるアイラッシュカーラーのカール力の測定結果のグラフ。
【発明を実施するための形態】
【００１６】
以下、本発明のアイラッシュカーラーの評価方法に用いる冶具およびアイラッシュカーラーの実施態様を、図面に基づいて具体的に説明する。なお、本発明はこれら実施態様に何ら制約されるものではない。
【００１７】
図１は、本発明のアイラッシュカーラーの評価方法の対象となるアイラッシュカーラーである。図に示すように、アイラッシュカーラー６は、使用時に親指と人差し指をそれぞれ挿入可能な一対のハンドル部６１ａ、６１ｂと、該ハンドル部６１ａ、６１ｂからそれぞれ延長して形成されたアーム部６２ａ、６２ｂと、アーム部６２ａからさらに延長して二股状に分岐形成されたフレーム部６３を備える。該フレーム部６３の先端側には左右のフレーム部６３の間に掛け渡すように挟圧体固定部６５１が設けられ、さらに、該挟圧体固定部６５１に対して接離自在に挟圧体可動部６５２が設けられている。そして、該挟圧体可動部６５２には接続部材６４が取り付けられている。該接続部材６４はその先端部において該挟圧体可動部６５２に固着され、その後端部はアーム部６２ｂに形成された挿通孔６７に回動自在に貫入されている。
【００１８】
アーム部６２ａとアーム部６２ｂは支軸６６において回動自在に軸支されている。そして、ハンドル部６１ａ、６１ｂを鋏状に開閉することによりアーム部６２ｂの挿通孔６７側が支軸６６を支点に回動し、それに連動して接続部材６４が上下動し、さらに、この接続部材６４の動きに連動して挟圧体可動部６５２が挟圧体固定部６５１に対して近接または離間する。
【００１９】
挟圧体可動部６５２は、その上辺部に弾性部材６５３が設けられており、かかる弾性部材６５３と挟圧体固定部６５１の下辺部により睫毛を挟み込み、一定の荷重を加えることにより、睫毛をカールさせることができる。
【００２０】
なお、本発明のアイラッシュカーラーのカール力評価方法の対象となるアイラッシュカーラーの構成はこれに限定されず、特に、挟圧体固定部６５１や挟圧体可動部６５２、弾性部材６５３は種々の形状を取りうるが、少なくとも、アーム部６２ｂと接続部材６４の連結部が、本実施態様のように側面視で外側（使用者の顔側）へ突出して屈曲している構成を有するものであればよい。  
【００２１】
次に、図２ないし図５により、本発明のアイラッシュカーラーの評価方法に用いられる冶具１の構成について説明する。各図に示すように、冶具１は、基台２と、基台２上に設けられたアイラッシュカーラー保持部３及び睫毛保持部４を備える。
【００２２】
本実施態様の基台２は略矩形の板状に形成されているが、形状はこれに限定されず、その上面にアイラッシュカーラー保持部３及び睫毛保持部４を設けることができればよい。アイラッシュカーラー保持部３は、基台２の上面から垂設された２本の支柱３１ａ、３１ｂと、該支柱３１ａ、３１ｂにそれぞれ取り付けられた２つの固定部材３２ａ、３２ｂ、該固定部材３２ａ、３２ｂからそれぞれ水平方向に突出する２本の支持棒３３ａ、３３ｂ、さらに、基台２の上面に設けられた一対の把持部３４ａ、３４ｂからなる。
【００２３】
２本の支柱３１ａ、３１ｂは所定の間隔を空けて基台２より垂設されている。固定部材３２ａ、３２ｂは、いずれも平面視において略矩形に形成され、その中心から一方の端部に偏心した部分に縦孔が貫穿され、かかる縦孔に支柱３１ａ、３１ｂを挿通し、ネジ等の固定手段により固定される。固定部材３２ａ、３２ｂは、支柱３１ａ、３１ｂに対してそれぞれ異なる高さに取り付けられており、具体的には、固定部材３２ａは固定部材３２ｂよりも高い位置において支柱３１ａに取り付けられている。さらに、固定部材３２ａ、３２ｂは、縦孔が形成されていない方の端部を、隣の支柱３１ｂ、３１ａ側へと向けるようにそれぞれ取り付けられるため、図４の側面図に示すように、固定部材３２ａと固定部材３２ｂは、支柱３１ａ、３１ｂ間において異なる高さで互い違いに突出するように取り付けられている。なお、固定部材３２ａ、３２ｂの支柱３１ａ、３１ｂに対する固定方法は特に限定されず、ネジ等による締め付けや、その他の圧着、接着等の固定手段でも良い。
【００２４】
固定部材３２ａ、３２ｂは、その側面に横孔が貫穿され、該横孔に支持棒３３ａ、３３ｂを挿通し、少なくとも把持部３４ａ側へ水平に突出するように設けられている。支持棒３３ａ、３３ｂは、それぞれ、固定部材３２ａ、３２ｂから把持部３４ａ側へ異なる長さに突出するように形成され、具体的には、支持棒３３ａは支持棒３３ｂよりも長く突出するように形成されている。なお、本実施態様では、支持棒３３ａ、３３ｂは、固定部材３２ａ、３２ｂの横孔に挿入して固定されているが、その固定方法は特に限定されず、ネジ等による締め付けや、その他の圧着、接着等の固定手段でも良い。
【００２５】
支持棒３３ａ、３３ｂの少なくとも把持部３４ａ側の頂部には、溝部３３１がそれぞれ凹設されている。かかる溝部３３１は、アイラッシュカーラー６のアーム部６２ａおよびフレーム部６３の少なくとも一側面を嵌入可能な形状及び大きさに形成されており、支持棒３３ａ、３３ｂを軸回転させることにより、その溝の方向（角度）を適宜調整することができる。
【００２６】
把持部３４ａ、３４ｂは板状片に形成され、その少なくとも一辺部には凹部３４１が凹設されている。かかる凹部３４１は、アイラッシュカーラー６のフレーム部６３の外側の側面部を嵌入可能な形状及び大きさに形成されている。一対の把持部３４ａ、３４ｂのうち、把持部３４ｂは支柱３１ａと支柱３１ｂの間に設けられており、把持部３４ａは所定の間隔を空けて、支柱３１ａ、３１ｂの並びと直交する並びで配置されている。さらに、把持部３４ａ、３４ｂは、凹部３４１が互いに対向するように設けられている。
【００２７】
睫毛保持部４は、略矩形に形成された板状の保持部上部４１と、該保持部上部４１と略同形状に形成された保持部下部４２からなる２枚の板状部材を上下に重ねた状態で、ネジ部４３により固定可能に形成されている。該睫毛保持部４は、睫毛Ｘを挟んだ側の端部が把持部３４ａと把持部３４ｂの間に位置するように基台上に配設される。なお、本実施態様では、保持部上部４１と保持部下部４２により睫毛を上下から挟み込み、ネジ部４３により固定するが、睫毛を保持して基台２上において固定できる機構を有していれば、かかる構成に限定されない。
【００２８】
次に、本発明の冶具１によるアイラッシュカーラー６の保持方法について説明する。まず、アイラッシュカーラー６の挟圧体固定部６５１側が下になるように倒立した状態とし、挟圧体固定部６５１の左右のフレーム部６３の側面を把持部３４ａ、３４ｂにより左右から挟むようにして凹部３４１に嵌める。次に、アイラッシュカーラー６の倒立の角度を調整しながら、フレーム部６３の一側面を支持棒３３ｂの溝部３３１に嵌め、さらに、アーム部６２ａの一側面を支持棒３３ａの溝部３３１にそれぞれ嵌める（図２）。
【００２９】
これにより、フレーム部６３およびアーム部６２ａは、一対の把持部３４ａ、３４ｂと、支持棒３３ａ、３３ｂの４箇所において保持され、挟圧体固定部６５１は基台２に対して固定されることになる。一方、ハンドル６１ｂと、ハンドル６１ｂから延長するアーム部６２ｂは固定されておらず、開閉操作が可能となっているため、アーム部６２ｂに接続部材６４を介して接続された挟圧体可動部６５２も挟圧体固定部６５１に対して近接または離間可能な状態となっている。
【００３０】
なお、本実施態様ではアイラッシュカーラー６をフレーム６３およびアーム部６２ａの計４箇所において保持しているが、挟圧体固定部６５１を固定し、且つ、ハンドル６１ｂの開閉操作が可能な状態でアイラッシュカーラー６の本体を保持できれば、保持する場所や数は本実施態様に限定されない。
【００３１】
次に、図６により、本発明のアイラッシュカーラーの冶具１にアイラッシュカーラー６をセットし、押圧手段５を用いてアイラッシュカーラー６を開閉させる機構について説明する。本発明において使用される押圧手段５は、テクスチャーアナライザーやレオメーターなどを好適に利用できるが、指定した荷重で対象物を押圧することができるものであれば特にこれらに限定されない。
【００３２】
図６（ａ）は、本発明の冶具１にアイラッシュカーラー６を保持した状態で押圧手段５をセットし、測定作業開始前の状態を示す（アイラッシュカーラー保持部３は図示せず）。本実施態様の押圧手段５は、昇降可能な棒状のスピンドル５１と、該スピンドル５１の先端に取り付けられた略直方体の当接部５２からなるが、押圧手段５の態様はこれに限らず、固定されたアイラッシュカーラー６のアーム部６２ｂと接続部材６４の連結部分に対して所定の荷重をかけられるものであればよい。なお、実際に睫毛を用いてアイラッシュカーラーのカール力を評価する場合は、睫毛Ｘを保持させた睫毛保持部４を基台２に配設する。このとき、挟圧体可動部６５２と挟圧体固定部６５１により睫毛Ｘが上下から挟まれる位置に睫毛保持部４をセットする。
【００３３】
図６（ａ）に示すように、押圧手段５は、当接部５２がアイラッシュカーラー６のアーム部６２ｂと接続部材６４の連結部分、詳しくは、アーム部６２ｂの挿通孔６７が設けられた部分の上方に位置し、スピンドル５１の下降時に当接部５２が該連結部分に当接可能な位置にセットされている。そして、測定時には、スピンドル５１が下降し、当接部５２がアーム部６２ｂと接続部材６４の連結部分に当接して押し下げる（図６ｂ）。このようにアーム部６２ｂと接続部材６４の連結部分を押し下げることにより、支軸６６を支点としてハンドル部６１ｂが持ち上がり、アイラッシュカーラー６は開状態から閉状態へと移行する。それに伴い、挟圧体可動部６５２は挟圧体固定部６５１側へと近接し、最終的には、弾性部材６５３と挟圧体固定部６５１が互いに接するとともに、一定の荷重がかかった状態になる。かかる荷重を解除する場合は、押圧手段５のスピンドル５１を上昇させればよく、スピンドル５１が上昇してアーム部６２ｂと接続部材６４の連結部分に対する荷重がなくなれば、自重によりハンドル部６１ｂは図６（ａ）の状態に戻る。
【００３４】
なお、押圧手段５による荷重は任意に設定することが可能であるが、使用者がアイラッシュカーラーを使用するときに使用時に睫毛にかかる荷重をあらかじめ定量化しておけば、ハンドル部６１ａ、６１ｂを握り込む力を押圧手段５により正確に再現することができ、より好ましい。以下、かかる荷重の定量化の方法について説明する。なお、本明細書において「握り込む」とは、挟圧体固定部６５１と挟圧体可動部６５２が互いに接した状態から、さらに挟圧体固定部６５１と挟圧体可動部６５２に所定の荷重をかけるべく、ハンドル部６１ａとハンドル部６１ｂをより強い力で握ることを意味する。
【００３５】
荷重を定量化するために、まず、使用時にハンドル部６１ａ、６１ｂを握り込む力を距離に変換して計測する。具体的には、開閉操作に伴い変動する任意の２点間の距離を測定することができるノギス状の測定手段７を備えたアイラッシュカーラー６０を使用し、ハンドル部６１ａとハンドル部６１ｂを握り込む際の距離を計測する。
【００３６】
図７に示すように、アイラッシュカーラー６０の計測手段７は、固定部７１１においてハンドル部６１ａに固定された目盛り部７１と、該目盛り部７１に対してその長尺方向にスライド移動可能に取り付けられたスライド部７２と、該スライド部７２の下部から反対側のアーム部６２ｂ方向へ突出し、その先端部７３１がアーム部６２ｂの側面部に当接するように設けられたバー７３を備える。なお、目盛り部７１は、図７ではハンドル部６１ａよりさらに奥まった位置で、ハンドル部６１ａに挿入した指に当たらないようにクリアランスを取って設けられている。また、バー７３も目盛り部７１と同様にアーム部６２ａよりも奥まった位置に設けられており、その当接部７３１がアーム部６２ｂに当接するように、バー７３から図の手前側に立ち上がるように折り曲げ形成されている。
【００３７】
かかる計測手段７を備えたアイラッシュカーラー６０の使用方法は以下の通りである。まず、人差し指と中指によりハンドル部６１ａとハンドル部６１ｂを把持し、挟圧体固定部６５１と挟圧体可動部６５２が互いに接する位置までハンドル部６１ａとハンドル部６１ｂを近接させる（図７）。かかる状態において、挟圧体固定部６５１の先端が挟圧体可動部６５２の弾性部材６５３と互いに接した状態の目盛り部７１を計測する。
【００３８】
次に、使用時と同じようにハンドル部６１ａとハンドル部６１ｂを握り込んで荷重をかけ、弾性部材６５３に挟圧体固定部６５１の先端部を食い込ませる。これにより、アーム部６２ｂに当接しているバー７３がアーム部６２ａ側へと押し出され、かかるバー７３と連動してスライド部７２がハンドル部６１ａ側から離間する方向に移動する。そして、このハンドル部６１ａとハンドル部６１ｂの握り込みが完了した時点において、再び目盛り部７１を計測する。このようにスライド部７２の移動距離を計測することにより、ハンドル部６１ａとハンドル部６１ｂの握り込みの距離を測定することができる。
【００３９】
なお、本実施態様では、バー７３の先端部７３１がハンドル部６１ｂの付け根付近のアーム部６２ｂに当接しているが、ハンドル部６１ａとハンドル部６１ｂの握り込みに伴い任意の２点間で変動する距離を測定できればその当接する位置はこれに限定されない。また、目盛り部７１による計測は目視によるものでも良いが、例えば、ハンドル部６１ａとハンドル部６１ｂを握り込む動作を複数回繰り返す際の個々の距離を計測する場合は、別途カメラ等によりスライド部７２の距離を動画撮影し、かかる動画から計測しても構わない。
【実施例】
【００４０】
以下、本発明のアイラッシュカーラーのカール力の評価方法を実施例を挙げて詳細に説明するが、本発明はこれら実施例に何ら限定されるものではない。なお、以下の実施例では、断面形状が凸状、平面状、凹状の弾性部材６５３をそれぞれ備えた３つのタイプのアイラッシュカーラーについてカール力を評価した。  
【００４１】
（１）睫毛にかかる荷重の定量化
まず、計測手段７を備えたアイラッシュカーラー６０を用い、使用者の握る力について以下の通り測定を行った。まず、ハンドル６１ａとハンドル６１ｂを閉状態とし、挟圧体可動部６５２の弾性部材６５３に挟圧体固定部６５１の先端部を接触させた。その状態から、睫毛をカールさせる時と同じように、ハンドル６１ａとハンドル６１ｂを握り込んで荷重をかけ、弾性部材６５３に挟圧体固定部６５１の先端部を食い込ませた。このときの握り込み距離を計測手段７により計測し、その平均値を求めた。この測定により、通常の使用時における把持力はハンドル６１ａとハンドル６１ｂの握り込み距離に換算して０〜３ｍｍの範囲内であることが分かった。
【００４２】
（２）睫毛にかかる荷重の機械による再現
次に、押圧手段５により、使用者の握る力を再現した。まず、冶具１に測定手段７を備えたアイラッシュカーラー６０をセットした。そして、押圧手段５としてテクスチャーアナライザー（ＴＡ．ＸＴ  Ｐｌｕｓ  ＳｔａｂｌｅＭｉｃｒｏＳｙｓｔｅｍｓ社製）を用い、テクスチャーアナライザーのスピンドル５１がアーム部６２ｂと接続部材６４の連結部分の上方に位置するように冶具１をセットした。そして、テクスチャーアナライザーを操作し、スピンドル５１を下降させてアーム部６２ｂと接続部材６４の連結部分を押し下げた。このとき、弾性部材６５３に挟圧体固定部６５１の先端部を接触させた状態から、握り込み距離が０〜３ｍｍの範囲内となるように荷重をかけたところ、テクスチャーアナライザーの荷重は０〜１０ｋｇの範囲内であることが分かった。
【００４３】
（３）対象とするアイラッシュカーラーによる計測
次に、評価対象となるアイラッシュカーラーを冶具１にセットし、人工睫毛を保持させた睫毛保持部４を冶具１にセットした。そして、下記の荷重条件において、押圧手段５のテクスチャーアナライザーにより、アーム部６２ｂと接続部材６４の連結部分を押し下げ、これにより得られた人工睫毛の屈曲部の角度を計測した。かかる角度の計測方法としては、例えば、根本から睫毛の延伸方向に沿って延長線（直線）を引き、この延長線に対して睫毛が屈曲する角度を測定することで計測することができる。なお、荷重回数を４回としたのは、アイラッシュカーラーの使用時に荷重を複数回に分けて睫毛にかけることが一般的だからである。
＜荷重条件＞
荷重（ｋｇ）：０．５、１、２、３、４、５、６、８、１０
押し下げ速度：１０ｍｍ／ｓ
荷重保持時間：２秒
荷重回数：４回
【００４４】
以上の計測により得られた結果を図８のグラフに示す。グラフ中、■は凹タイプ、◆は凸タイプ、▲は平面タイプの結果をそれぞれ示す。グラフに示すように、弾性部材６５３が凹タイプのものは弱い力でも強い力でもカールしやすく、凸タイプのものは弱い力ではカールがかかりにくく、強い力ではカールがかかり、さらに、平面状のものはカール力が弱いことが分かった。このように、本発明の冶具１を用いた評価方法によると、弾性部材６５３の断面形状の違いにより異なるアイラッシュカーラーのカール力を客観的に評価することができた。
【００４５】
なお、前記（１）睫毛にかかる荷重の定量化は省略しても良く、その場合、前記（３）の計測において、予め設定しておいた任意の荷重を押圧手段５によりかければよい。
【符号の説明】
【００４６】
１  …  …  冶具
２  …  …  基台
３  …  …  アイラッシュカーラー保持部
４  …  …  睫毛保持部
５  …  …  押圧手段
６  …  …  アイラッシュカーラー
７  …  …  計測手段
３１ａ、３１ｂ  …  …  支柱
３２ａ、３２ｂ  …  …  固定部材
３３ａ、３３ｂ  …  …  支持棒
３４ａ、３４ｂ  …  …  把持部
４１  …  …  睫毛固定部上部
４２  …  …  睫毛固定部下部
４３  …  …  ネジ部    
５１  …  …  スピンドル
５２  …  …  当接部
６０  …  …  アイラッシュカーラー
６１ａ  …  …  ハンドル部
６１ｂ  …  …  ハンドル部
６２ａ  …  …  アーム部
６２ｂ  …  …  アーム部
６３  …  …  フレーム部
６４  …  …  接続部材
６５  …  …  挟圧体
６６  …  …  支軸
６７  …  …  挿通孔
７１  …  …  目盛り部
７２  …  …  スライド部
７３  …  …  バー
３３１  …  …  溝部
３４１  …  …  凹部
６４１  …  …  屈曲部
６５１  …  …  挟圧体固定部
６５２  …  …  挟圧体可動部
６５３  …  …  弾性部材
７１１  …  …  固定部
７３１  …  …  先端部
Ｘ  …  …  睫毛
【図１】
2020074845.tif 000003
【図２】
2020074845.tif 000004
【図３】
2020074845.tif 000005
【図４】
2020074845.tif 000006
【図５】
2020074845.tif 000007
【図６】
2020074845.tif 000008
【図７】
2020074845.tif 000009
【図８】
2020074845.tif 000010